(57)【要約】【課題】ハウジングに高級感のある金属的な光沢を与えることができ、低コストで携帯用工具の外観イメージを変えることができる携帯用工具を提供すること。【解決手段】駆動源と、該駆動源の駆動力を伝達する伝達機構部と、該伝達機構部を経て前記駆動源の駆動力が伝達されるアンビル（先端工具保持部）５を樹脂製のハウジング２内に収容し、該ハウジング２の表面に軟質材から成る保護層１０を凸状に設けたインパクトドライバ（携帯用工具）１において、前記ハウジング２の胴体部２Ａ表面の前記保護層１０で囲まれた領域に金属箔シート１１を貼り付ける。ここで、金属箔シート１１はアルミニウム箔等で構成される。【選択図】図３
2009023024.tif 000002
【特許請求の範囲】
【請求項１】
駆動源と、該駆動源の駆動力を伝達する伝達機構部と、該伝達機構部を経て前記駆動源の駆動力が伝達される先端工具保持部を樹脂製のハウジング内に収容し、該ハウジングの表面に軟質材から成る保護層を凸状に設けた携帯用工具において、
前記ハウジングの胴体部表面の前記保護層で囲まれた領域に金属箔シートを貼り付けたことを特徴とする携帯用工具。
【請求項２】
左右に２分割された前記ハウジングの表面に前記金属箔シートをハウジングの合わせ面で接触するよう貼り付けたことを特徴とする請求項１記載の携帯用工具。
【請求項３】
前記金属箔シートを前記ハウジング表面の上面から側面に亘って一体的に貼り付けたことを特徴とする請求項１記載の携帯用工具。
【請求項４】
前記金属箔シートに、前記ハウジングに設けられた風窓やネジ穴に沿った形状の孔を形成したことを特徴とする請求項１〜３の何れかに記載の携帯用工具。
【請求項５】
前記金属箔シートをアルミニウム箔で構成したことを特徴とする請求項１〜４の何れかに記載の携帯用工具。
【請求項６】
前記金属箔シートの表面にレリーフ状の文字又は図柄を印刷又は形成したことを特徴とする請求項１〜５の何れかに記載の携帯用工具。
【請求項７】
前記金属箔シートに表面処理を施したことを特徴とする請求項１〜６の何れかに記載の携帯用工具。
【請求項８】
前記表面処理に透過性を有する塗料を用いることを特徴とする請求項７記載の携帯用工具。
【請求項９】
前記表面処理に偏光パールが添加された塗料を用いることを特徴とする請求項７又は８記載の携帯用工具。
【請求項１０】
前記金属箔シートに、表面全体に文字又は図柄が印刷された透過性シールを貼り付けたことを特徴とする請求項１〜９の何れかに記載の携帯用工具。
【発明の詳細な説明】
【技術分野】
【０００１】
本発明は、外枠部を構成する樹脂製ハウジングの表面に軟質材から成る保護層を凸状に設けて成る携帯用工具に関するものである。
【背景技術】
【０００２】
携帯用工具にはインパクトドライバ、電動ドリル、電動丸鋸、空気釘打機、電気ハンマ等の種々のものがあるが、その外枠部を構成する樹脂製ハウジングの表面に軟質材から成る保護層を凸状に設けて成る携帯用工具において、カラーバリエーションを増やすためにハウジングの樹脂色や塗装色を変えたり、ハウジングにブランドロゴや仕様を表示したラベルを貼り付けていた。又、ハウジングにブランドロゴ等をレリーフ状に成形したり、文字や図柄を印刷した透明又は半透明の樹脂から成るシートを外枠部の一部を覆う形状に成形し、このシートをカバーと外枠部との間に挟みこむことも行われていた（特許文献１，２参照）。
【特許文献１】特開２００４−１７４６８８号公報
【特許文献２】特開２００４−２４９４０８号公報
【発明の開示】
【発明が解決しようとする課題】
【０００３】
しかしながら、ハウジングの樹脂色や塗装色を変えるには大量の原料や塗料が必要となり、又、ハウジングにブランドロゴ等をレリーフ状に成形すると、デザインやサイズを変えるには型変更が必要となり、何れもコストアップを招くという問題があった。
【０００４】
又、 樹脂製ハウジングに高級感のある金属的な光沢を与えることが困難であり、ハウジングに貼り付けたラベルが剥がれ易いという問題もあった。
【０００５】
更に、外枠部の一部を覆う形状を有するカバーは、ハウジングの風窓を塞がないように形状や配置が制限されており、このカバーでねじ穴を塞ぐと、携帯用工具を分解する際にカバーを外す必要があり、保守手順が増えて作業が煩雑化するという問題があった。
【０００６】
その他、文字や図柄を印刷したシートは、平面的で高級感に乏しいという問題もあった。
【０００７】
本発明は上記問題に鑑みてなされたもので、その目的とする処は、ハウジングに高級感のある金属的な光沢を与えることができ、低コストで携帯用工具の外観イメージを変えることができる携帯用工具を提供することにある。
【課題を解決するための手段】
【０００８】
上記目的を達成するため、請求項１記載の発明は、駆動源と、該駆動源の駆動力を伝達する伝達機構部と、該伝達機構部を経て前記駆動源の駆動力が伝達される先端工具保持部を樹脂製のハウジング内に収容し、該ハウジングの表面に軟質材から成る保護層を凸状に設けた携帯用工具において、前記ハウジングの胴体部表面の前記保護層で囲まれた領域に金属箔シートを貼り付けたことを特徴とする。
【０００９】
請求項２記載の発明は、請求項１記載の発明において、左右に２分割された前記ハウジングの表面に前記金属箔シートをハウジングの合わせ面で接触するよう貼り付けたことを特徴とする。
【００１０】
請求項３記載の発明は、請求項１記載の発明において、前記金属箔シートを前記ハウジング表面の上面から側面に亘って一体的に貼り付けたことを特徴とする。
【００１１】
請求項４記載の発明は、請求項１〜３の何れかに記載の発明において、前記金属箔シートに、前記ハウジングに設けられた風窓やネジ穴に沿った形状の孔を形成したことを特徴とする。
【００１２】
請求項５記載の発明は、請求項１〜４の何れかに記載の発明において、前記金属箔シートをアルミニウム箔で構成したことを特徴とする。
【００１３】
請求項６記載の発明は、請求項１〜５の何れかに記載の発明において、前記金属箔シートの表面にレリーフ状の文字又は図柄を印刷又は形成したことを特徴とする。
【００１４】
請求項７記載の発明は、請求項１〜６の何れかに記載の発明において、前記金属箔シートに表面処理を施したことを特徴とする。
【００１５】
請求項８記載の発明は、請求項７記載の発明において、前記表面処理に透過性を有する塗料を用いることを特徴とする。
【００１６】
請求項９記載の発明は、請求項７又は８記載の発明において、前記表面処理に偏光パールが添加された塗料を用いることを特徴とする。
【００１７】
請求項１０記載の発明は、請求項１〜９の何れかに記載の発明において、前記金属箔シートに、表面全体に文字又は図柄が印刷された透過性シールを貼り付けたことを特徴とする。
【発明の効果】
【００１８】
請求項１記載の発明によれば、ハウジングの胴体部表面に該ハウジングと色や質感の異なる金属箔シートを貼り付けることによって、ハウジングに高級感のある金属的な光沢を与えることができ、低コストで携帯用工具の外観イメージを変えることができる。又、金属箔シートは、ハウジング表面に凸状に設けられた保護層によって囲まれているために剥がれにくい。
【００１９】
請求項２記載の発明によれば、左右に２分割されたハウジングの表面に金属箔シートをハウジングの合わせ面で接触するよう貼り付けたため、左右の金属箔シートの接触端部がむき出しにならず、金属箔シートが剥がれにくい。
【００２０】
請求項３記載の発明によれば、金属箔シートをハウジング表面の上面から側面に亘って一体的に貼り付けたため、金属箔シートが１枚で済み、低コストを実現することができる。
【００２１】
請求項４記載の発明によれば、金属箔シートにハウジングの風窓やネジ穴に沿った形状の孔を形成したため、該金属箔シートの形状や配置の自由度が高くなる。又、ハウジングに金属箔シートを貼り付けたまま携帯用工具を分解することができる。
【００２２】
請求項５記載の発明によれば、金属箔シートの材質をアルミニウムにすることによってハウジングに高品質な金属感を与えることができる。
【００２３】
請求項６記載の発明によれば、金属箔シートの表面にブランドロゴ等をレリーフ状に表現することができ、ブランドロゴ等のデザインやサイズを低コストで変更することができる。又、低コストで携帯用工具の外観イメージを変えたり、必要な表示を追加することができる。
【００２４】
請求項７記載の発明によれば、金属箔シートに塗装やアルマイト処理等の表面処理を施すことによって、携帯用工具のカラーバリエーションを低コストで増やすことができる。
【００２５】
請求項８記載の発明によれば、金属箔シートの表面処理に透過性を有する塗料を用いることによって、金属箔シートの質感を生かしつつ、より深みのある色を表現することができる。
【００２６】
請求項９記載の発明によれば、金属箔シートの表面処理に偏光パールが添加された塗料を用いることによって、より光輝感の高い色を表現することができる。
【００２７】
請求項１０記載の発明によれば、金属箔シートの表面全体に文字又は図柄が印刷された透過性シールを貼り付けることによって、金属箔シートの色や質感を生かしつつ、低コストで携帯用工具の外観イメージを変えることができる。又、複数種の文字又は図柄のデータをウェブサイト等に用意し、無償で複写できるようにすることによって、ユーザーが好みに応じて携帯用工具の外観イメージを簡単に変えることができる。
【発明を実施するための最良の形態】
【００２８】
以下に本発明の実施の形態を添付図面に基づいて説明する。
【００２９】
＜実施の形態１＞
図１は本発明の実施の形態１に係るインパクトドライバの側面図、図２は図１のＡ−Ａ線断面図、図３は同インパクトドライバのハウジングへの金属箔シートの貼り付け要領を示す斜視図、図４はハウジングに金属箔シートが貼り付けられたインパクトドライバの斜視図である。
【００３０】
本実施の形態に係るインパクトドライバ１は、側面視Ｔ字状を成すハウジング２を有しており、このハウジング２は、有底筒状の胴体部２Ａと該胴体部２Ａから略直角に一体に延びるハンドル部２Ｂを備えている。そして、ハンドル部２Ｂの下端には電池パック３が着脱可能に装着されており、電池パック３内には充電可能な不図示のニカド電池、ニッケル水素電池、リチウムイオン電池等が収容されている。
【００３１】
ここで、ハウジング２は左右に２分割されており、その胴体部２Ａとその先端に設けられたハンマケース４内には、駆動源である不図示のモータと、該モータの駆動力を伝達する遊星減速ギヤや打撃機構を含む不図示の伝達機構部と、該伝達機構部を経て前記モータの駆動力が伝達される先端工具保持部であるアンビル５等が収容されている。尚、アンビル５には先端工具である不図示のビットが着脱可能に装着される。
【００３２】
又、ハウジング２の胴体部２Ａの両側部の複数箇所には冷却風を吸排するための風窓６，７，８がそれぞれ形成されており、ハンドル部２Ｂの基端部には、前記電池パック３から前記モータへの給電をＯＮ／ＯＦＦしてモータを起動／停止させるためのスイッチ９が設けられている。
【００３３】
ところで、ハウジング２の表面の作業者の手が触れる部分には、エラストマ等の軟質材から成る保護層１０が凸状に設けられており、胴体部２Ａの表面の前記保護層１０によって囲まれた領域には金属箔シート１１が貼り付けられている。
【００３４】
本実施の形態では、金属箔シート１１はアルミニウム箔で構成されており、これは図３に示すように左右の２枚に２分割されている。そして、各金属箔シート１１には、ハウジング２の胴体部２Ａに形成された前記風窓６〜８に沿った形状の孔１１ａ，１１ｂ，１１ｃが形成されている。尚、ハウジング２の胴体部２Ａにネジ穴が形成されている場合には、各金属箔シート１１にはネジ穴に沿った形状の孔が形成される。
【００３５】
而して、左右２枚の金属箔シート１１は、図３に示すように、左右に２分割されたハウジング２の胴体部２Ａ表面の保護層１０によって囲まれた領域に左右両側から貼り付けられるが、図２に示すように、その端縁同士がハウジング２の合わせ面で接触するように貼り付けられ、これらの端縁間には隙間が発生しない。
【００３６】
ところで、金属箔シート１１の表面にはレリーフ状の文字又は図柄を印刷しても良い。又、金属箔シート１１の表面に、透過性を有する塗料や偏光パールが添加された塗料等を用いた塗装やアルマイト処理等の表面処理を施しても良い。
【００３７】
以上において、本実施の形態に係るインパクトドライバ１においては、ハウジング２の胴体部２Ａ表面に該ハウジング２と色や質感の異なる金属箔シート１１を貼り付けたため、ハウジング２に高級感のある金属的な光沢を与えることができ、低コストでインパクトドライバ１の外観イメージを変えることができる。又、金属箔シート１１は、ハウジング２の表面に凸状に設けられた保護層１０によって囲まれているために剥がれにくい。特に、本実施の形態では、左右に２分割されたハウジング２の表面に金属箔シート１１をハウジング２の合わせ面で接触するよう貼り付けたため、左右の金属箔シート１１の接触端部がむき出しにならず、金属箔シート１１が剥がれにくい。
【００３８】
又、各金属箔シート１１には、ハウジング２の胴体部２Ａに形成された風窓６〜８に沿った形状の孔１１ａ〜１１ｃを形成したため、該金属箔シート１１の形状や配置の自由度が高くなる。そして、ハウジング２に金属箔シート１１を貼り付けたままインパクトドライバ１を分解することができる。
【００３９】
更に、本実施の形態では、金属箔シート１１の材質をアルミニウムとしたため、ハウジング２に高品質な金属感を与えることができる。そして、金属箔シート１１の表面にブランドロゴ等をレリーフ状に表現することによって、ブランドロゴ等のデザインやサイズを低コストで変更することができ、低コストでインパクトドライバ１の外観イメージを変えたり、必要な表示を追加することができる。
【００４０】
又、金属箔シート１１に塗装やアルマイト処理等の表面処理を施すことによって、インパクトドライバ１のカラーバリエーションを低コストで増やすことができる。特に、金属箔シート１１の表面処理に透過性を有する塗料を用いることによって、金属箔シート１１の質感を生かしつつ、より深みのある色を表現することができる。又、金属箔シート１１の表面処理に偏光パールが添加された塗料を用いれば、より光輝感の高い色を表現することができる。
【００４１】
＜実施の形態２＞
次に、本発明の実施の形態２を図５及び図６に基づいて説明する。
【００４２】
図５は本発明の実施の形態２に係るインパクトドライバのハウジングへの金属箔シートの貼り付け要領を示す斜視図、図６はハウジングに金属箔シートが貼り付けられたインパクトドライバの斜視図であり、これらの図においては図１〜図４に示したものと同一要素には同一符号を付しており、以下、それらについての再度の説明は省略する。
【００４３】
本実施の形態に係るインパクトドライバ１は、図５に示すように、１枚の金属箔シート１１をハウジング２の胴体部２Ａ表面の上面から側面に亘って一体的に貼り付けたことを特徴としており、他の構成は前記実施の形態に係るインパクトドライバ１のそれと同じである。
【００４４】
而して、本実施の形態に係るインパクトドライバ１においては、金属箔シート１１をハウジング２の胴体部２Ａ表面の上面から側面に亘って一体的に貼り付けたため、金属箔シート１１が１枚で済み、更なる低コストを実現することができる。その他、本実施の形態においても前記実施の形態１によって得られたと同様の効果が得られる。
【００４５】
＜実施の形態３＞
次に、本発明の実施の形態３を図７及び図８に基づいて説明する。
【００４６】
図５は本発明の実施の形態３に係るインパクトドライバの斜視図、図８は透過性シールの展開平面図であり、これらの図においては図５及び図６に示したものと同一要素には同一符号を付しており、以下、それらについての再度の説明は省略する。
【００４７】
本実施の形態に係るインパクトドライバ１においては、前記実施の形態２と同様に、１枚の金属箔シート１１をハウジング２の胴体部２Ａ表面の上面から側面に亘って一体的に貼り付けているが、該金属箔シート１１に、表面全体に例えば図８に示すような馬の図柄が印刷又は形成された透過性シール１２を貼り付けたことを特徴としており、他の構成は実施の形態１及び２のそれと同じである。尚、図柄の他、表面全体に文字が印刷又は形成された透過性シール１２を金属箔シート１１の表面に貼り付けても良い。
【００４８】
而して、本実施の形態によれば、金属箔シート１１の表面全体に文字又は図柄が印刷された透過性シール１２を貼り付けることによって、金属箔シート１１の色や質感を生かしつつ、低コストでインパクトドライバ１の外観イメージを変えることができる。又、複数種の文字又は図柄のデータをウェブサイト等に用意し、無償で複写できるようにすることによって、ユーザーが好みに応じてインパクトドライバ１の外観イメージを簡単に変えることができる。その他、本実施の形態においても前記実施の形態１及び２によって得られたと同様の効果が得られる。
【００４９】
尚、以上は本発明をインパクトドライバに適用した形態について説明したが、本発明は、電動ドリル、電動丸鋸、空気釘打機、電気ハンマ等、他の任意の携帯用工具に対しても同様に適用可能であることは勿論である。
【図面の簡単な説明】
【００５０】
【図１】本発明の実施の形態１に係るインパクトドライバの側面図である。
【図２】図１のＡ−Ａ線断面図である。
【図３】本発明の実施の形態１に係るインパクトドライバのハウジングへの金属箔シートの貼り付け要領を示す斜視図である。
【図４】本発明の実施の形態１に係るインパクトドライバの斜視図である。
【図５】本発明の実施の形態２に係るインパクトドライバのハウジングへの金属箔シートの貼り付け要領を示す斜視図である。
【図６】本発明の実施の形態２に係るインパクトドライバの斜視図である。
【図７】本発明の実施の形態３に係るインパクトドライバの斜視図である。
【図８】本発明の実施の形態３に係るインパクトドライバのハウジングに貼り付けられる透過性シールの展開平面図である。
【符号の説明】
【００５１】
１              インパクトドライバ（携帯用工具）
２              ハウジング
２Ａ            ハウジングの胴体部
２Ｂ            ハウジングのハンドル部
３              電池パック
４              ハンマケース
５              アンビル（先端工具保持部）
６〜８          風窓
９              スイッチ
１０            保護層
１１            金属箔シート
１１ａ〜１１ｃ  金属箔シートの孔
１２            透過性シール
【図１】
2009023024.tif 000003
【図２】
2009023024.tif 000004
【図３】
2009023024.tif 000005
【図４】
2009023024.tif 000006
【図５】
2009023024.tif 000007
【図６】
2009023024.tif 000008
【図７】
2009023024.tif 000009
【図８】
2009023024.tif 000010